(57)【要約】【課題】熱交換効率を高めつつ結露水の飛散を抑制することが可能な熱交換器を提供する。【解決手段】フィン５０は、長手方向に並んでおり複数の伝熱管６を厚み方向に貫通させる複数のカラー部５８と、長手方向に並んだカラー部５８の間において風上側から風下側に並んで配置された複数のスリット５１〜５５を有している。最も第１方向側に位置する第１スリット５１と、この第１スリット５１から最も近くに位置する最近接のカラー部５８との間の距離Ｌ１は、第１スリット５１から最も近くの第１方向とは反対側の第２方向側に位置する第２スリット５２と最近接のカラー部５８との間の距離Ｌ２よりも長い。【選択図】図３
2015143607.tif 000002
【特許請求の範囲】
【請求項１】
複数の伝熱管（６）と、
フィン（５０）の長手方向に並んでおり複数の前記伝熱管を厚み方向に貫通させる複数のカラー部（５８）と、前記フィンの長手方向に並んだカラー部の間において風上側から風下側に並んで配置された複数のスリット（５１〜５５）と、を有する複数のフィン（５０）と、
を備え、
前記フィン（５０）の長手方向と前記フィン（５０）の板厚方向との両方に垂直な方向を第１方向とした場合において、
複数の前記スリットのうち最も前記第１方向側に位置する第１スリット（５１）と、前記カラー部のうち前記第１スリットから最も近くに位置する最近接カラー部と、の距離（Ｌ１）が、
複数の前記スリットのうち前記第１スリットから前記第１方向側とは反対側の第２方向側において前記第１スリットの最も近くに位置する第２スリット（５２）と、前記最近接カラー部と、の距離（Ｌ２）
よりも長い、
熱交換器（４１、８０）。
【請求項２】
前記第１方向側は風下側であり、
前記第２方向側は風上側である、
請求項１に記載の熱交換器（４１）。
【請求項３】
前記フィンの長手方向の水平面に対する傾斜角度が２０度以上６０度以下となる部分を有している、
請求項１または２に記載の熱交換器。
【請求項４】
前記第１スリットの前記最近接カラー部側の端部は、前記最近接カラー部の中心の鉛直方向下方に位置している、
請求項１から３のいずれか１項に記載の熱交換器。
【請求項５】
複数の前記スリットは、前記フィン表面から切り起こされて構成されている、
請求項２に記載の熱交換器。
【発明の詳細な説明】
【技術分野】
【０００１】
本発明は、熱交換器に関する。
【背景技術】
【０００２】
従来より、熱交換器のフィン表面にスリットを設けることで、伝熱面積の向上を図ることが提案されている。
【０００３】
例えば、特許文献１（特開平１０−２０６０８５号公報）に記載の熱交換器では、通過する空気の気流について伝熱管の風下側の死流域を有効に減少させることができるように、切り起こしスリットの形態を工夫することが提案されている。
【発明の開示】
【発明が解決しようとする課題】
【０００４】
ところが、上記特許文献１に記載の熱交換器では、蒸発器として用いられた場合に生じる結露水の飛散を抑制することについて、なんら検討されていない。
【０００５】
例えば、フィンの長手方向および板厚方向の両方に垂直な方向の端部（例えば、風下側端部および／または重力方向下方側端部）において、フィン表面で生じた結露水がスリットと伝熱管との間で表面張力の作用により保持されてしまうと、さらに結露水が集まることで水滴が大きく成長することがある。このように水滴が大きく成長すると、やがてフィンから飛散してしまうおそれがある。
【０００６】
本発明は上述した点に鑑みてなされたものであり、本発明の課題は、熱交換効率を高めつつ結露水の飛散を抑制することが可能な熱交換器を提供することにある。
【課題を解決するための手段】
【０００７】
第１観点に係る熱交換器は、複数の伝熱管と、複数のフィンとを備えている。フィンは、複数のカラー部と、複数のスリットと、を有している。複数のカラー部は、フィンの長手方向に並んでおり、複数の伝熱管を厚み方向に貫通させる。複数のスリットは、フィンの長手方向に並んだカラー部の間において風上側から風下側に並んで配置されている。フィンの長手方向とフィンの板厚方向の両方に垂直な方向を第１方向とした場合において、複数のスリットのうち最も第１方向側に位置する第１スリットと、カラー部のうち第１スリットから最も近くに位置する最近接カラー部と、の距離が、複数のスリットのうち第１スリットから第１方向側とは反対側の第２方向側において第１スリットの最も近くに位置する第２スリットと、最近接カラー部と、の距離よりも長い。なお、第１スリットと最近接カラー部との距離の関係は、熱交換器のフィンにおいて少なくとも一部分において採用されていれば当該部分において効果を得ることができるため、必ずしも熱交換器のフィンの全体において採用されている必要はないが、熱交換器のフィンの全体において採用されていることが好ましい。
【０００８】
この熱交換器では、フィンには複数のスリットが設けられているため、熱交換効率を高めることが可能になる。また、最も第１方向側に位置する第１スリットと最近接カラー部との間が大きく離れているため、第１スリットと最近接カラー部との間で結露水が保持されて大きく成長することが抑制され、結露水の第１方向側への飛散を低減させることが可能になる。
【０００９】
第２観点に係る熱交換器は、第１観点に係る熱交換器であって、第１方向側は風下側であり、第２方向側は風上側である。
【００１０】
フィン表面で生じた結露水は、空気流れによってフィンの風下側に集まりやすい。そして、フィンの風下側において結露水が保持されてしまうと、結露水が大きく成長して、やがてフィンから風下側に向けて飛散してしまうおそれがある。
【００１１】
これに対して、この熱交換器では、最も風下側に位置する第１スリットと最近接カラー部との間が大きく離れているため、フィンの風下側に位置している第１スリットと最近接カラー部との間で結露水が保持されて大きく成長することが抑制され、結露水の風下側への飛散を低減させることが可能になる。
【００１２】
第３観点に係る熱交換器は、第１観点または第２観点に係る熱交換器であって、フィンの長手方向の水平面に対する傾斜角度が２０度以上５０度以下となる部分を有している。
【００１３】
この熱交換器では、熱交換器が傾斜して配置されることで、最近接カラー部において保持される結露水は、自重によって下方に垂れ下がるように保持されるが、その場合であっても第１スリットとの間の距離が大きく確保されているため、結露水が第１スリットと最近接カラー部との間で保持されることを防ぐことが可能になる。
【００１４】
第４観点に係る熱交換器は、第１観点から第３観点のいずれかに係る熱交換器であって、第１スリットの最近接カラー部側の端部は、最近接カラー部の中心の鉛直方向下方に位置している。
【００１５】
この熱交換器では、最近接カラー部において保持される結露水は、自重によって、最も近くに配置されている第１スリットの端部に向けて垂れ下がった形態になるが、その場合であっても第１スリットとの間の距離が大きく確保されているため、結露水が第１スリットと最近接カラー部との間で保持されることを防ぐことが可能になる。
【００１６】
第５観点に係る熱交換器は、第２観点に係る熱交換器であって、複数のスリットは、フィン表面から切り起こされて構成されている。
【００１７】
熱交換器において、切り起こされて構成されたスリットが複数設けられている場合には、熱交換性能を高めることができる。ここで、スリットが切り起こされている場合には、空気流れは、当該切り起こされている部分を避けるように流れるため、スリットとカラー部との間を通過する空気流れが増大することになる。
【００１８】
これに対して、この熱交換器では、最も風下側に位置する第１スリットと最近接カラー部との間が大きく離れて配置されているため、当該部分を通過する風速が上がりすぎることを防ぎ、結露水の飛散を抑制することが可能になる。
【発明の効果】
【００１９】
第１観点に係る熱交換器では、熱交換効率を高めつつ、結露水の飛散を低減させることが可能になる。
【００２０】
第２観点に係る熱交換器では、結露水の風下側への飛散を低減させることが可能になる。
【００２１】
第３観点に係る熱交換器では、結露水が第１スリットと最近接カラー部との間で保持されることを防ぐことが可能になる。
【００２２】
第４観点に係る熱交換器では、結露水が第１スリットと最近接カラー部との間で保持されることを防ぐことが可能になる。
【００２３】
第５観点に係る熱交換器では、風速が部分的に上がりすぎることに伴う結露水の飛散を抑制することが可能になる。
【図面の簡単な説明】
【００２４】
【図１】本発明の一実施形態に係る室内熱交換器を備えた空気調和装置の概略構成図。
【図２】本発明の一実施形態に係る室内熱交換器を備えた室内機の断面図。
【図３】フィンのスリットの配置説明図。
【図４】フィンのスリットの形状説明図。
【図５】他の実施形態Ａに係る室内機の外観斜視図。
【図６】他の実施形態Ａに係る室内機の断面図。
【発明を実施するための形態】
【００２５】
以下、本発明に係る熱交換器を備えた空気調和装置の実施形態について、図面に基づいて説明する。なお、本発明に係る熱交換器の具体的な構成は、下記の実施形態およびその変形例に限られるものではなく、発明の要旨を逸脱しない範囲で変更可能である。
【００２６】
（１）空気調和装置１の概略構成
図１に、空気調和装置１の冷媒回路１０を示す冷媒回路図を示す。
【００２７】
空気調和装置１は、熱源側装置としての室外機２と、利用側装置としての室内機４とが冷媒配管によって接続されて、利用側装置が配置された空間の空気調和を行う。この空気調和装置１は、冷媒回路１０、各種センサおよび制御部７０を有している。
【００２８】
冷媒回路１０は、圧縮機２１、四路切換弁２２、室外熱交換器２３、室外膨張弁２４、アキュームレータ２５、室外ファン２６、室内熱交換器４１、および、室内ファン４２等を備えており、これらが接続されること構成されている。
【００２９】
なお、圧縮機２１、四路切換弁２２、室外熱交換器２３、室外膨張弁２４、アキュームレータ２５、および、室外ファン２６は、室外機２内に収容されている。
【００３０】
また、室内熱交換器４１および室内ファン４２は、室内機４内に収容されている。
【００３１】
四路切換弁２２は、冷房運転サイクルと暖房運転サイクルとを切換可能である。図１では、冷房運転を行う際の接続状態を実線で示し、暖房運転を行う際の接続状態を点線で示している。暖房運転時には、室内熱交換器４１が冷媒の冷却器として、室外熱交換器２３が冷媒の加熱器として機能する。冷房運転時には、室外熱交換器２３が冷媒の冷却器として、室内熱交換器４１が冷媒の加熱器として機能する。
【００３２】
なお、室内機４内には、室内温度センサ４３が設けられている。この室内温度センサ４３は、室内空気の吸入口側に配置され、室内機４が室内から取り込んで、室内熱交換器４１を通過する前の温度（すなわち、室内温度）を検出する。
【００３３】
制御部７０は、室外機２内に配置される機器を制御する室外制御部７２、室内機４内に配置されている機器を制御する室内制御部７４、ユーザからの各種設定入力を受け付けたり各種表示出力を行ったりするコントローラ７１、および、各種センサが、通信線７０ａによって接続されることで構成されている。この制御部７０は、空気調和装置１を対象とした種々の制御を行う。
【００３４】
（２）室内機４の配置構成
図２に、室内機４の断面図を示す。なお、特に断らない限り、以下、図２における左側を前面側、右側を背面側、上側を天面側、紙面手前側を右側、紙面奥行側を左側として説明する。
【００３５】
室内機４は、筐体４ａ、室内熱交換器４１、室内ファン４２、水平フラップ１７、垂直フラップ１８等を有して構成されている。
【００３６】
筐体４ａは、上述した室内熱交換器４１、室内ファン４２等を内部に収容しており、前面グリル４５ａ、天面板４５ｂ、背面板４５ｃ、吹出し流路上面板４５ｄ、吹出し流路下面板４５ｅ、図示しない左右の側板等を有して構成されている。
【００３７】
前面グリル４５ａは、室内ファン４２が駆動することにより室内の空気を筐体４ａの前面側から内側に取り込めるように、開口（図示せず）が設けられている。同様に、天面板４５ｂには、室内ファン４２が駆動することにより室内の空気を筐体４ａの天面側から内側に取り込めるように、開口（図示せず）が設けられている。背面板４５ｃは、室内熱交換器４１や室内ファン４２の背面側および吹出し流路下面板４５ｅ等の背面側を覆うように設けられている。吹出し流路上面板４５ｄは、室内ファン４２の前側下方付近からさらに前側下方に向けて延びており、吹出し流路の上面を構成している。吹出し流路下面板４５ｅは、室内ファン４２の背面上方付近から背面側下方に向けて延びた後に前面側下方に向けて延びており、吹出し流路の下面を構成している。
【００３８】
水平フラップ１７は、上述した吹出し流路の下流側端部である吹出口４５ｆを覆うことができるように設けられている。水平フラップ１７は、運転中は、吹出口４５ｆを開放し、傾斜角度が調節されることにより、調和空気の吹き出し高さ方向を調節可能になっている。
【００３９】
垂直フラップ１８は、吹出し流路内部において水平フラップ１７よりも上流側に設けられている。運転中は、垂直フラップ１８が吹き出し方向に略垂直な方向の軸を軸心として角度調節が行われることにより、調和空気の左右方向の吹き出し方向を調節することが可能になっている。
【００４０】
室内ファン４２は、回転軸方向を図２の紙面の奥行き方向とするクロスフローファンである。室内ファン４２が回転駆動することにより、図２に示すように、前面グリル４５ａを介して室内熱交換器４１に向かう空気流れＦ１と、天面板４５ｂを介して室内熱交換器４１に向かう空気流れＦ２と、吹出し流路上面板４５ｄと吹出し流路下面板４５ｅで囲われた吹き出し流路を介して吹出口４５ｆから室内に送られる空気流れＦ３と、を生じさせる。
【００４１】
室内熱交換器４１は、側面視において両端が下方に向いて屈曲する逆Ｖ字状となるように配置されている。室内熱交換器４１は、板厚方向に所定のフィンピッチで複数枚配置されて構成されたフィン群５が、内部を冷媒が流れる複数本の伝熱管６によって貫通されて構成された、いわゆるフィンチューブ式熱交換器である。
【００４２】
なお、フィン群５を構成するフィン５０の一枚当たりの板厚は、例えば、９５μｍ以上１２５μｍ以下である。また、フィンピッチ（板厚を含む間隔）は、１．０ｍｍ以上１．５ｍｍ以下であることが好ましく、１．２ｍｍ以上１．４ｍｍ以下であることがより好ましい。
【００４３】
この室内熱交換器４１は、前面側の前面側室内熱交換器４１ａと、背面側の背面側室内熱交換器４１ｂと、によって構成されている。
【００４４】
前面側室内熱交換器４１ａは、室内ファン４２の前面側の下方から前面側の上方に掛けて位置している。前面側室内熱交換器４１ａは、下端部分から室内ファン４２の中央部分の高さ位置よりもわずかに高い位置にかけて、わずかに前面側に傾斜するように伸びている。前面側室内熱交換器４１ａは、室内ファン４２の中央部分の高さ位置よりもわずかに高い位置から上方は、背面側に向けて傾斜するように伸びている。
【００４５】
背面側室内熱交換器４１ｂは、室内ファン４２の背面側上方に位置しており、前面側室内熱交換器４１ａの上端近傍から背面側下方に向けて延びている。
【００４６】
（３）室内熱交換器４１のフィン５０の構成
以下、図３を参照しながら、室内熱交換器４１のうち、特に、前面側室内熱交換器４１ａのフィン５０を例に挙げて説明する。なお、背面側室内熱交換器４１ｂは、配置の傾斜姿勢以外は、前面側室内熱交換器４１ａと同様である。
【００４７】
前面側室内熱交換器４１ａのフィン５０は、板厚方向に複数の伝熱管６を貫通させるカラー部５８と、第１〜第５スリット５１〜５５を有して構成されている。なお、前面側室内熱交換器４１ａは、空気流れＦの方向に２列に並んで一体化するように設けられており、当該２列の間には熱伝導を抑制するためのミシン目５９が所々に設けられている。
【００４８】
カラー部５８は、フィン５０の長手方向に所定間隔で並んでおり、空気流れＦの風上側と風下側で互い違いになるように配置されている。
【００４９】
第１〜第５スリット５１〜５５は、空気流れＦの風下側の部分において、各カラー部５８の間に配置されている。なお、空気流れＦの風上側の部分にも同様にスリットが設けられており、ミシン目５９を軸として第１〜第５スリット５１〜５５と線対称となるようにしつつ、ミシン目５９の長手方向に伝熱管６の間隔の半分だけずれるようにして設けられている。
【００５０】
第１スリット５１は、空気流れＦの最も風下側に位置するスリットであり、フィン５０の風下側端部に沿うように長手方向に伸びている。第１スリット５１は、図４の側面視配置説明図に示すように、フィン５０を板厚方向に隆起させることで、隆起している部分と隆起していない部分との間に空気流れＦを通過させることが可能になるように構成されている。このように隆起して構成される点は、他の第２スリット５２、第３スリット５３、第４スリット５４、第５スリット５５についても同様である。
【００５１】
第２スリット５２は、第１スリット５１よりも空気流れＦの風上側であって、近接する伝熱管６同士を結ぶラインよりも風下側に位置するスリットであり、第１スリット５１と同様に長手方向に伸びている。なお、第２スリット５２は、フィン５０の長手方向視において伝熱管６の幅の範囲内に収まるように配置されており、長手方向の長さは両端に近接する伝熱管６同士の最近接距離の７０％以上９０％以下の範囲内となるように設けられている。
【００５２】
第３スリット５３は、第２スリット５２よりも空気流れＦの風上側であって、近接する伝熱管６同士を結ぶラインよりも風上側に位置するスリットであり、第２スリット５２と同様に長手方向に伸びている。
【００５３】
第４スリット５４と第５スリット５５とは、フィン５０の風下側の部分において最も風上側に位置しており、所定の間隔を開けて長手方向に伸びつつ並んで配置されている。
【００５４】
（４）第１スリット５１と第２スリット５２との配置関係
第１スリット５１と第２スリット５２とは、長手方向の長さが同程度となるように構成されているが、最も風下側に位置している第１スリット５１と最近接の伝熱管６との距離Ｌ１は、第２スリット５２と最近接の伝熱管６との距離Ｌ２よりも長くなるように、配置されている。
【００５５】
ここで、前面側室内熱交換器４１ａのフィン５０のうち上方部分は、長手方向が水平面に対して２０度以上６０度以下の程度で傾斜して設置されている。このように傾斜して設置された状態において、第１スリット５１の上記最近接の伝熱管６側の端部は、当該最近接の伝熱管６の軸の鉛直方向下方に位置している。
【００５６】
なお、図３、図４に示すように、第１スリット５１は、最近接のカラー部５８との間に十分な間隔が設けられていることで、最近接の伝熱管６との間に十分な距離を確保できるように配置されている。
【００５７】
（５）室内熱交換器４１のフィン５０の特徴
本実施形態のフィン５０には複数のスリット（第１〜第５スリット５１〜５５）が設けられており、通過する空気をフィン５０に接触させやすくすることができているため、熱交換効率を高めることができている。
【００５８】
ここで、最も風下側に位置する第１スリット５１と最近接のカラー部５８との間が大きく離れているため、室内熱交換器４１が冷媒の蒸発器として機能する冷房運転時において、フィン５０表面に多くの結露水が生じたとしても、第１スリット５１と最近接のカラー部５８との間で結露水が保持されにくい。すなわち、第１スリット５１と最近接のカラー部５８とが近接して配置されていると、当該第１スリット５１と最近接のカラー部５８とのそれぞれに結露水の表面張力が作用して、第１スリット５１と最近接のカラー部５８との間で結露水が大きく成長するまで保持されてしまう。これに対して、上記実施形態では、第１スリット５１と最近接のカラー部５８との間で結露水が保持されにくいため、結露水が大きく成長することが抑制され、結露水の飛散を低減させることが可能になっている。
【００５９】
また、上記実施形態の室内熱交換器４１は、水平面に対して長手方向が傾斜するように配置されており、最近接のカラー部５８の下部において保持される結露水は、図３においてハッチングで示すように、自重によって伝熱管６の下方に垂れ下がるように保持されることになる。このため、伝熱管６に保持される結露水が成長するほど、第１スリット５１に近づいていくことになる。これに対して、上記実施形態の室内熱交換器４１のフィン５０では、第１スリット５１の端部と最近接の直上の伝熱管６との間の距離が大きく確保されているため、結露水が第１スリット５１と最近接のカラー部５８との間で保持されることを抑制できる。
【００６０】
なお、フィン５０の第１スリット５１等のスリットは、切り起こしによって構成されているため、空気流れＦは、当該切り起こし部分に沿うようにして当該切り起こし部分を避けながら流れるようになる。ここで、上記実施形態のフィン５０の最も風下側に配置されている第１スリット５１は、最近接の伝熱管６との距離が十分に確保されているため、第１スリット５１の切り起こし部分と最近接の伝熱管６との間が広く確保されている。したがって、第１スリット５１と最近接の伝熱管６との間を通過する空気流れＦは、第１スリット５１の切り起こし部分を避けるように流れても、広い部分を通過することができるため、第１スリット５１と最近接の伝熱管６との間を通過する際の流速が上がりすぎない。したがって、第１スリット５１と最近接の伝熱管６との間に位置している結露水があったとしても、速い流速によって飛散されることを抑制できている。
【００６１】
（６）他の実施形態
上記実施形態では、本発明の実施形態の一例を説明したが、上記実施形態はなんら本願発明を限定する趣旨ではなく、上記実施形態には限られない。本願発明は、その趣旨を逸脱しない範囲で適宜変更した態様についても当然に含まれる。
【００６２】
（６−１）他の実施形態Ａ
他の実施形態Ａに係る空気調和装置の冷媒回路構成および室外機の構成は、上記実施形態と同様であり、説明を省略する。
【００６３】
図５に、他の実施形態Ａに係る空気調和装置の室内機１０４の外観斜視図を示す。
【００６４】
図６に、室内機１０４の断面図（本体３０の長手方向視の断面図）を示す。
【００６５】
室内機１０４は、天井設置型の室内機であって、下面に吸込口３２ａおよび吹出口３３ａを有する本体３０と、吸込口３２ａを開閉するフラットパネル２４と、吹出口３３ａを開閉する風向調節羽根３３と、フィルタ３４、フィルタ清掃機構３５、室内熱交換器８０、室内ファン６０、および、ドレンパン３７を備えている。
【００６６】
本体３０の下面は、天井面に沿うように配置される化粧パネル３１によって覆われている。吸込口３２ａおよび吹出口３３ａは、この化粧パネル３１における板厚方向に貫通した開口として形成されている。
【００６７】
吸込口３２ａおよび吹出口３３ａは、それぞれ化粧パネル３１の長手方向に沿うように伸びている。吸込口３２ａと吹出口３３ａとは、本体３０の長手方向とは垂直な方向に一定距離を隔てて設けられており、吹出口３３ａから吹き出された空気が吸込口３２ａに吸い込まれるというショートサーキットが生じにくいように配置されている。
【００６８】
フラットパネル２４は、運転停止時には吸込口３２ａの全体を実質的に覆うように閉じ、運転時には長手方向を軸方向として回動することで吸込口３２ａを開くことが可能となるようにモータによって傾斜角度が調整される。
【００６９】
風向調節羽根３３は、運転停止時には吹出口３３ａの全体を実質的に覆うように閉じ、運転時には長手方向を軸方向として回動することで吹出口３３ａを開くことが可能となるようにモータによって傾斜角度が調整される。
【００７０】
室内ファン６０は、本体３０の内部に設けられたクロスフローファンであり、幅寸法が直径よりも長く、回転軸と垂直な方向から空気を吸い込んで吹き出す。
【００７１】
本体３０内には、発泡スチロール３６が設けられることで、吸込口３２ａから室内ファン６０までの空気流路である吸込流路３６ａが設けられている。
【００７２】
また、本体３０内には、発泡スチロール３８が設けられることで、室内ファン６０から吹出口３３ａまでの空気流路である吹出流路３８ａが設けられている。この吹出流路３８ａのうち室内ファン６０とドレンパン３７との間には吹出空気の吹出流路３８ａからの漏れを防止するための舌部３９が設けられている。本実施形態においては、下部熱交換器８２の下端部が、舌部３９の下方に位置するように配置されている。
【００７３】
空調運転時には、吸込口３２ａおよび吹出口３３ａが開いた状態で室内ファン６０が回転することで、室内の空気が吸込口３２ａを介して本体３０内部に吸い込まれ、吸込流路３６ａを通過する。その後、室内熱交換器１２における熱交換を終えて、吹出流路３８ａを通過した後に吹出口３３ａから吹き出される。
【００７４】
室内ファン６０の上流側に配置されている室内熱交換器８０は、互いに異なる傾斜姿勢で隣接して配置された上部熱交換器８１と、下部熱交換器８２とを有している。
【００７５】
上部熱交換器８１の長手方向は、上端から下端に向かって傾斜する角度が鉛直方向に対して４５°以下となるように配置されている。
【００７６】
下部熱交換器８２は、上部熱交換器８１の下端に近接から風下側下方に向けて傾斜するように配置されている。下部熱交換器８２の長手方向は、上端から下端に向かって傾斜する角度が鉛直方向に対して４５°を超えるように配置されている。
【００７７】
なお、本実施形態において、上部熱交換器８１の長手方向の長さは、下部熱交換器８２の長手方向の長さよりも長く構成されている。
【００７８】
ドレンパン３７は、下部熱交換器８２の下方全域および上部熱交換器８１の下端部分の下方領域において広がるようにして配置されている。ここで、室内熱交換器８０のうちの上部熱交換器８１は鉛直方向に対して４５°以下の傾斜角度で設けられているため、上部熱交換器８１の上方おいて生じた結露水は、鉛直下方のドレンパン３７の存在していない領域にそのまま落下することなく、上部熱交換器８１のフィン表面を沿って風下側に導かれるように流れ、ドレンパン３７に到達しやすくなっている。他方、下部熱交換器８２は鉛直方向に対して４５°を超えるように傾斜して配置されているため、下部熱交換器８２の表面で生じた結露水がそのまま鉛直下方に落下することがあるが、ドレンパン３７は下部熱交換器８２の下方全域を覆っているため当該結露水を確実に捕らえることが可能になっている。以上により、ドレンパン３７は、室内熱交換器８０の下方全域を覆う必要がなく、下部熱交換器８２の下方全域と上部熱交換器８１の下端部分の下方領域のみにおいて広がるように設けられている。
【００７９】
なお、室内熱交換器８０のうち下方がドレンパン３７によって覆われていない部分は、その下方に吸込流路３６ａが位置しており、吸込口３２ａまで繋がっている。
【００８０】
フィルタ３４は、室内熱交換器８０に対して空気流れ上流側の吸込流路３６ａを覆うように設けられており、室内から取り込まれる空気に含まれる塵埃を捕集する。フィルタ３４の一部は、上部熱交換器８１の上端近傍部分の鉛直下方部分に位置している。このフィルタ３４に対しては掃除機構３５が設けられている。掃除機構３５は、ローラー３５ａ、ブラシ３５ｂ、ダストボックス３５ｃ等を有している。モータによってピニオン歯車が駆動するとローラー３５ａが回転し、フィルタ３４は、フィルタ収納枠内まで移動する。ここで、フィルタ３４が捕捉していた集塵がブラシ３５ｂによって取り除かれる。このようにして取り除かれた集塵は、ダストボックス３５ｃ内に集められる。
【００８１】
上述した他の実施形態Ａの室内機１０４の室内熱交換器８０も、空気流れ方向を除いて上記実施形態の室内熱交換器４１と同様にカラー部や第１〜第５スリットを有している。すなわち、空気流れ方向の最も風上側の位置しているスリットとその最近接の伝熱管との距離が、２番目に風上側に位置しているスリットとその最近接の伝熱管との距離より長くなるように配置されている。
【００８２】
これにより、最も風上側に位置するスリットとその最近接のカラー部との間が大きく離れているため、室内熱交換器８０が冷媒の蒸発器として機能する冷房運転時において、フィン表面に多くの結露水が生じたとしても、最も風上側のスリットとその最近接のカラー部との間で結露水が保持されにくい。このため、室内熱交換器８０のうちの鉛直下方にドレンパン３７が位置していない上部熱交換器８１の上方部分において結露水が生じたとしても、結露水が保持されることによる結露水の成長を抑制し、上部熱交換器８１のうち鉛直下方がドレンパン３７によって覆われていない部分の鉛直方向下端近傍（空気流れ上流側端部近傍）からの吸込口３２ａ側に向かう結露水の飛散を抑制することが可能になる。
【００８３】
なお、運転中は、室内ファン６０によって生じる空気流れが室内熱交換器８０を斜め下方から斜め上方に向けて通過するため、例えば、上部熱交換器８１で生じた結露水は鉛直下方に落下しにくく、空気流れによって下流側に導かれやすい。これに対して、運転を停止し、室内ファン６０が停止することで室内熱交換器８０を斜め下方から斜め上方に向けて通過する空気流れが無くなり、運転停止時直後に上部熱交換器８１に残っていた結露水は空気流れによって下流側に導かれることなく自重で鉛直下方に向かいやすくなる。この場合であっても、上部熱交換器８１の上流側端部において結露水が保持されにくいため、鉛直方向下端近傍での結露水の成長を抑制し、吸込口３２ａ側に向かう結露水の飛散を抑制することが可能になる。
【００８４】
（６−２）他の実施形態Ｂ
上記実施形態および他の実施形態Ａでは、第１スリット５１等のスリットが切り起こし形状である場合を例に挙げて説明した。
【００８５】
しかし、本発明はこれに限られるものではなく、スリットの形状としては、結露水の表面張力が作用しやすい形状であれば本発明の課題が生じるため、フィン５０の表面積を増大させることができる形状であれば特に限定されない。
【符号の説明】
【００８６】
１  空気調和装置
５  フィン群
６  伝熱管
４１  室内熱交換器（熱交換器）
４１ａ  前面側室内熱交換器
４１ｂ  背面側室内熱交換器
５０  フィン
５１  第１スリット（スリット）
５２  第２スリット（スリット）
５３〜５５  第３〜第５スリット（スリット）
５８  カラー部
８０  室内熱交換器（熱交換器）
８１  上部熱交換器
８２  下部熱交換器
【先行技術文献】
【特許文献】
【００８７】
【特許文献１】特開平１０−２０６０８５号公報
【図１】
2015143607.tif 000003
【図２】
2015143607.tif 000004
【図３】
2015143607.tif 000005
【図４】
2015143607.tif 000006
【図５】
2015143607.tif 000007
【図６】
2015143607.tif 000008